(57)【特許請求の範囲】
【請求項１】
天板を有する天板付き家具と、棚板を支持して床面に起立するとともに、前記天板付き家具を出没可能に収容する収容空間を前記棚板の下方に形成する棚脚部を有する棚装置と、を組み合わせた組み合わせ家具であって、
前記棚装置は、
前記棚板の幅方向両端部に各々固定され、前記棚脚部を構成する一対の側板と、
前記棚板を底面として前記棚装置の奥行き方向手前側および上方側が開放された状態に形成される収容棚と、
前記棚板の奥行き方向手前側の端部近傍に、前記天板の上面に対して鈍角をなすように傾斜し且つ前記天板と交差する方向に延在して物品を受け支える書見台と、
を備えたことを特徴とする組み合わせ家具。
【請求項２】
前記書見台は、前記棚装置の幅方向に移動可能に設けられることを特徴とする請求項１に記載の組み合わせ家具。
【請求項３】
前記棚装置は、前記書見台を支持するとともに前記棚装置の幅方向における前記書見台の移動を案内するスライドガイド部を備えたことを特徴とする請求項２に記載の組み合わせ家具。
【請求項４】
前記書見台は、
前記天板と交差する方向に延在するように配置され、前記物品を受ける物品受け部と、
前記物品受け部に設けられ、前記物品受け部が受ける前記物品を支持する物品支持部と、
前記物品受け部から前記棚装置の奥行き方向奥側へ延在する延在部と、
を備え、
前記棚装置は、前記物品受け部および前記延在部を支持する複数の前記スライドガイド部を備えたことを特徴とする請求項３に記載の組み合わせ家具。
【請求項５】
前記書見台は、前記棚板上に形成される物品収容部を開閉可能に遮蔽することを特徴とする請求項１〜４のいずれか一つに記載の組み合わせ家具。
【発明の詳細な説明】
【技術分野】
【０００１】
本発明は、天板付き家具と棚装置とを組み合わせた組み合わせ家具に関する。
【背景技術】
【０００２】
従来から、デスク等の天板付き家具とキャビネット等の棚装置とを組み合わせて構成される組み合わせ家具が公知である（例えば、特許文献１〜３参照）。以下、組み合わせ家具は、天板付き家具と棚装置とを組み合わせた家具を意味する。
【０００３】
一般に、組み合わせ家具において、天板付き家具は、棚装置が形成する収容空間内に収容可能な寸法のものであり、棚装置の奥行き方向に移動して出没できるように棚装置に取り付けられている。また、組み合わせ家具には、例えば特許文献１〜３に開示されるように、棚装置から天板付き家具が抜け出ることを防止するためのストッパ手段が設けられている。これにより、組み合わせ家具は、棚装置から天板付き家具を脱離させないように、天板付き家具の引き出し動作を制限する。
【０００４】
使用者は、上述したような組み合わせ家具の机機能を使用する場合、棚装置の収容空間内（以下、棚装置内と適宜略す）から天板付き家具を引き出す。この際、天板付き家具は、棚装置から脱離することなく、使用者の手前に引き出される。使用者は、この引き出した天板付き家具を机として使用する。一方、使用者は、組み合わせ家具の机機能を使用しない場合、棚装置から突出した状態の天板付き家具を、棚装置内に押し入れて収容する。このように棚装置に対して天板付き家具を適宜出没可能な組み合わせ家具は、リビングルーム、書斎、または学習室等の室内に設置され、室内における占有スペースを小さくすることに有効である。
【先行技術文献】
【特許文献】
【０００５】
【特許文献１】実開平１−１１２７２９号公報
【特許文献２】実用新案登録第３０４８０５６号公報
【特許文献３】特開平９−２２４７５４号公報
【発明の概要】
【発明が解決しようとする課題】
【０００６】
ところで、上述したような組み合わせ家具においては、天板付き家具の奥行き方向の寸法が小さい傾向にある。これは、組み合わせ家具の設計において、多くの場合、棚装置の標準的な奥行き方向の寸法を基準として天板付き家具がデザインされることに起因する。
【０００７】
しかし、このような天板付き家具の傾向が原因となり、棚装置内から引き出した天板付き家具のうちの机として使用可能な天板上面（すなわち机上面）の面積が小さくなる事態を避けることができない。この結果、天板付き家具の使い勝手が意図せず制限されるという問題が生じる。例えば、棚装置内から引き出した天板付き家具を学習机として使用する場合、この天板付き家具の机上面に載置可能な物品（文房具、書籍、情報機器等）の数や大きさが限定されてしまい、これに起因して、天板付き家具の使い勝手が損なわれる。
【０００８】
本発明は、上記に鑑みてなされたものであって、天板付き家具の奥行き方向の寸法を増大させることなく、天板付き家具の天板上面に、必要な物品を使用可能な状態にして極力多く載置することができる組み合わせ家具を提供することを目的とする。
【課題を解決するための手段】
【０００９】
上述した課題を解決し、目的を達成するために、本発明にかかる組み合わせ家具は、天板を有する天板付き家具と、棚板を支持して床面に起立するとともに、前記天板付き家具を出没可能に収容する収容空間を前記棚板の下方に形成する棚脚部を有する棚装置と、を組み合わせた組み合わせ家具であって、前記棚装置は、前記棚板の奥行き方向手前側の端部近傍に、前記天板と交差する方向に延在して物品を受け支える書見台を備えたことを特徴とする。
【００１０】
また、本発明にかかる組み合わせ家具は、上記の発明において、前記書見台は、前記棚装置の幅方向に移動可能に設けられることを特徴とする。
【００１１】
また、本発明にかかる組み合わせ家具は、上記の発明において、前記棚装置は、前記書見台を支持するとともに前記棚装置の幅方向における前記書見台の移動を案内するスライドガイド部を備えたことを特徴とする。
【００１２】
また、本発明にかかる組み合わせ家具は、上記の発明において、前記書見台は、前記天板と交差する方向に延在するように配置され、前記物品を受ける物品受け部と、前記物品受け部に設けられ、前記物品受け部が受ける前記物品を支持する物品支持部と、前記物品受け部から前記棚装置の奥行き方向奥側へ延在する延在部と、を備え、前記棚装置は、前記物品受け部および前記延在部を支持する複数の前記スライドガイド部を備えたことを特徴とする。
【００１３】
また、本発明にかかる組み合わせ家具は、上記の発明において、前記書見台は、前記棚板上に形成される物品収容部を開閉可能に遮蔽することを特徴とする。
【発明の効果】
【００１４】
本発明によれば、天板付き家具の奥行き方向の寸法を増大させることなく、天板付き家具の天板上面に、必要な物品を使用可能な状態にして極力多く載置することができるという効果を奏する。
【図面の簡単な説明】
【００１５】
【図１】図１は、本発明の実施の形態にかかる組み合わせ家具の一構成例を示す斜視図である。
【図２】図２は、本発明の実施の形態にかかる組み合わせ家具の一構成例を示す正面図である。
【図３】図３は、本発明の実施の形態にかかる組み合わせ家具の一構成例を示す側面図である。
【図４】図４は、本発明の実施の形態にかかる組み合わせ家具の棚装置内から天板付き家具を引き出した状態を示す図である。
【図５】図５は、本発明の実施の形態にかかる組み合わせ家具の天板付き家具の一構成例を示す斜視図である。
【図６】図６は、本発明の実施の形態にかかる組み合わせ家具の棚装置の一構成例を示す斜視図である。
【図７】図７は、棚装置に設けられる遮蔽部材の一構成例を示す斜視図である。
【図８】図８は、図７に示す遮蔽部材を側方から見た図である。
【図９】図９は、図７に示す遮蔽部材を後方から見た図である。
【図１０】図１０は、遮蔽部材を備えた棚装置を上方から見た図である。
【図１１】図１１は、図１０に示す棚装置のＡ−Ａ線断面構造を示す断面図である。
【図１２】図１２は、遮蔽部材を備えた棚装置を後方から見た図である。
【図１３】図１３は、棚装置の物品収容部を開閉可能に遮蔽する遮蔽部材の開閉動作を説明する図である。
【図１４】図１４は、棚装置の物品収容部を開閉可能に遮蔽する遮蔽部材を書見台として用いる状態を示す図である。
【発明を実施するための形態】
【００１６】
以下に、添付図面を参照して、本発明にかかる組み合わせ家具の好適な実施の形態について詳細に説明する。なお、本実施の形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１７】
（組み合わせ家具の構成）
まず、本発明の実施の形態にかかる組み合わせ家具の構成について説明する。図１は、本発明の実施の形態にかかる組み合わせ家具の一構成例を示す斜視図である。図２は、本発明の実施の形態にかかる組み合わせ家具の一構成例を示す正面図である。図３は、本発明の実施の形態にかかる組み合わせ家具の一構成例を示す側面図である。図４は、本発明の実施の形態にかかる組み合わせ家具の棚装置内から天板付き家具を引き出した状態を示す図である。図５は、本発明の実施の形態にかかる組み合わせ家具の天板付き家具の一構成例を示す斜視図である。図６は、本発明の実施の形態にかかる組み合わせ家具の棚装置の一構成例を示す斜視図である。
【００１８】
図１〜６に示すように、本発明の実施の形態にかかる組み合わせ家具１は、自立式の机等として使用可能な天板付き家具２と、書籍等の物品を収容する収容棚等として使用可能な自立式の棚装置３とを備える。組み合わせ家具１は、棚装置３内に天板付き家具２を出没可能に収容できるように、天板付き家具２と棚装置３とを組み合わせて構成される。
【００１９】
天板付き家具２は、図１〜４に示すように棚装置３から出没可能な机状構造体である。本実施の形態において、天板付き家具２は、図５に示すように、天板１０と、天板１０等を支持して自立する天板脚部１１と、天板１０上からの物品落下を防止する落下防止壁１２と、棚装置３内からの天板付き家具２の出没を案内するガイド部１３，１４と、物品を収容可能な引き出し１６とを備える。
【００２０】
天板１０は、机の天板等のように、使用者が天板付き家具２を学習等の用途に使用する際、この用途に応じた作業に用いられる平板部材である。天板１０の上面（天板上面１０ａ）には、天板付き家具２の用途に応じた物品が必要に応じて載置される。なお、天板上面１０ａに載置される物品として、例えば、書籍、文房具、パーソナルコンピュータ（パソコン）、タブレット端末や電子計算機等の情報機器等が挙げられる。
【００２１】
天板脚部１１は、天板付き家具２が床面に自立するための脚部として機能するものであり、図５に示すように、天板１０等を支持する一対の脚板１１ａ，１１ｂによって構成される。脚板１１ａ，１１ｂは、天板付き家具２の幅方向Ｆ１２に所定の間隔をあけて離間するように配置される。これらの脚板１１ａ，１１ｂの各上面には、天板１０の幅方向両端部の各下面が各々固定される。また、これらの脚板１１ａ，１１ｂの各上面のうち、天板付き家具２の奥行き方向Ｆ１１の奥側には、落下防止壁１２が取り付けられる。一方、脚板１１ａ，１１ｂの互いに対向する壁面（すなわち内壁面）の各々には、引き出し１６を支持する支持部材が、脚板１１ａ，１１ｂに挟まれるように固定される。このような脚板１１ａ，１１ｂは、引き出し１６の支持部材を幅方向Ｆ１２から挟んで支持するとともに、天板１０および落下防止壁１２を支持する。このような状態を維持しながら、脚板１１ａ，１１ｂは、図５に示すように、天板付き家具２の起立方向Ｆ１３の上方に天板上面１０ａを向けて自立する。
【００２２】
また、脚板１１ａ，１１ｂの奥行き方向Ｆ１１の奥側には、図５に示すように、ガイド部１３，１４と、切欠き部１５ａ，１５ｂとが設けられる。ガイド部１３，１４は、棚装置３内からの天板付き家具２の出没を案内するものであり、脚板１１ａ，１１ｂに各々着脱可能に取り付けられる。切欠き部１５ａ，１５ｂは、図１〜３に示すように天板付き家具２を棚装置３内に収容する際、棚装置３の支柱３４と天板脚部１１との接触を回避するために、脚板１１ａ，１１ｂに各々形成される。
【００２３】
一方、脚板１１ａ，１１ｂの起立方向Ｆ１３の下端部には、図５に示すように、車輪１７および滑り止め部１８が設けられる。車輪１７は、棚装置３から天板付き家具２を出没する等の際、天板付き家具２の奥行き方向Ｆ１１への移動を円滑に行えるようにするためのものである。このような車輪１７は、脚板１１ａ，１１ｂにおける奥行き方向Ｆ１１の奥側の各下部に、回転自在に軸支される。滑り止め部１８は、床面における脚板１１ａ，１１ｂの摺動を抑止し、これにより、天板付き家具２の意図せぬ移動を防止するものである。このような滑り止め部１８は、脚板１１ａ，１１ｂにおける奥行き方向Ｆ１１の手前側の各下端部に形成される。
【００２４】
引き出し１６は、所望の物品を収容する箱型の収容手段である。引き出し１６は、上述したように脚板１１ａ，１１ｂの各内壁面に固定された支持部材と天板１０との間の空間に、出し入れ可能に配置される。引き出し１６は、天板付き家具２の奥行き方向Ｆ１１の手前側に引き出されて、物品を出し入れ可能な状態となる。また、引き出し１６は、天板付き家具２の奥行き方向Ｆ１１の奥側に押されて、天板付き家具２の空間内に収容される。なお、本実施の形態において、天板付き家具２には、図５に示すように、２つの引き出し１６が配置されているが、天板付き家具２の引き出し１６の配置数は、２つに限定されず、１つでもよいし、３つ以上でもよい。
【００２５】
一方、棚装置３は、物品を出し入れ可能に収容する収容棚としての機能と、図１〜４に示すように天板付き家具２を出没可能に収容する機能とを兼ね備え、床面に自立可能な構造体である。本実施の形態において、棚装置３は、図６に示すように、棚板３０と、棚板３０等を支持して自立する棚脚部３１と、棚装置３の構造を強固にする等のための後面板３２，３３および支柱３４と、天板付き家具２を出没可能に収容する収容空間３５と、天板付き家具２の出没時の移動範囲を規制するガイドレール３６，３７とを備える。また、棚装置３は、図１〜４，６に示すように、棚板３０上に物品収容部３８ａ等の収容棚を形成する複数の仕切部材３９ａ〜３９ｄと、棚板３０上の物品収容部３８ａを開閉可能に遮蔽する遮蔽部材４０と、遮蔽部材４０の開閉時の移動を案内する前側スライドガイド部４７および後側スライドガイド部４８と、照明装置５０とを備える。
【００２６】
棚板３０は、物品を出し入れ可能に収容する収容棚の底板として機能する板部材である。具体的には、図６に示すように、棚板３０は、その幅方向両端部を側板３１ａ，３１ｂに固定され、自立した態様の棚脚部３１によって床面から所定の高さの位置に支持される。この棚板３０上には、図２に示すように、仕切部材３９ａ，３９ｂ等によって物品収容部３８ａおよび開放型物品収容部３８ｂ，３８ｃが形成される。物品収容部３８ａおよび開放型物品収容部３８ｂ，３８ｃは、いずれも物品の収容棚であり、棚板３０は、これらの物品収容部３８ａおよび開放型物品収容部３８ｂ，３８ｃの底面をなす。
【００２７】
棚脚部３１は、棚装置３が床面に自立するための脚部として機能するものであり、図６に示すように、棚板３０等を支持する一対の側板３１ａ，３１ｂによって構成される。側板３１ａ，３１ｂは、棚板３０および後面板３２，３３の幅方向両端部に各々固定される。また、側板３１ａ，３１ｂの下部には、側板３１ａ，３１ｂの互いに対向する壁面（すなわち内壁面）の各々に挟まれるように支柱３４が固定される。このような一対の側板３１ａ，３１ｂからなる棚脚部３１は、棚板３０および後面板３２，３３を支持して床面に起立（自立）するとともに、天板付き家具２の収容空間３５を棚板３０の下方に形成する。この際、棚脚部３１は、床面に起立して、この床面から所定の高さの位置に棚板３０を支持する。また、棚脚部３１は、棚装置３の奥行き方向Ｆ１に天板付き家具２の収容空間３５が開口し、棚装置３の幅方向Ｆ２に物品収容部３８ａおよび開放型物品収容部３８ｂ，３８ｃが並び、棚装置３の起立方向Ｆ３の上方に棚板３０の上面（収容棚の底面）が向くように自立する。
【００２８】
後面板３２は、図６に示すように、側板３１ａ，３１ｂの奥行き方向Ｆ１の奥側端部近傍のうち、各上部の内壁面に固定配置される。後面板３２は、その前面を棚板３０の奥行き方向Ｆ１の奥側端面に接触させて、棚板３０上の物品収容部３８ａおよび開放型物品収容部３８ｂ，３８ｃの後面をなす。なお、後面板３２の前面は、棚装置３の奥行き方向Ｆ１の手前側に向く後面板３２の壁面である。一方、後面板３３は、図３，６に示すように、側板３１ａ，３１ｂの奥行き方向Ｆ１の奥側端部近傍のうち、棚板３０よりも下方の各部分の内壁面に固定配置される。後面板３３は、棚板３０の下方に形成される収容空間３５の後面をなす。
【００２９】
支柱３４は、図３，６に示すように、側板３１ａ，３１ｂの奥行き方向Ｆ１の奥側における各端部内壁面と後面板３３の下端面とに固定される。支柱３４は、上述した後面板３２，３３と協同して、側板３１ａ，３１ｂによる棚脚部３１の起立時の構造を強固に維持する。
【００３０】
収容空間３５は、天板付き家具２を出没可能に収容する空間である。具体的には、図３，６に示すように、天板付き家具２の収容空間３５は、棚装置３が床面に起立した際、この床面と棚板３０の下端面との間に形成される。すなわち、収容空間３５は、棚板３０と側板３１ａ，３１ｂと後面板３３とによって囲まれ且つ床面に連続して、棚装置３の奥行き方向Ｆ１の手前側に開口する。このような収容空間３５には、床面に沿って棚装置３の奥行き方向Ｆ１に移動する天板付き家具２が、図１〜４に示すように、出没可能に収容される。
【００３１】
ガイドレール３６，３７は、棚装置３の収容空間３５からの天板付き家具２の出没を案内する際に用いられるレールである。具体的には、図２，６に示すように、ガイドレール３６は、棚装置３の収容空間３５からの天板付き家具２の出没方向（図４参照）に長手となるよう、側板３１ａの内壁面に凹状に形成される。ガイドレール３６は、天板付き家具２の脚板１１ａに取り付けられたガイド部１３（図５参照）の突起部分を受け入れる。一方、ガイドレール３７は、上述したガイドレール３６と同様に天板付き家具２の出没方向に長手となるよう、側板３１ｂの内壁面に凹状に形成される。ガイドレール３７は、図２，６に示すように、天板付き家具２の脚板１１ｂに取り付けられたガイド部１４の突起部分を受け入れる。
【００３２】
上述したようなガイドレール３６，３７は、棚装置３の収容空間３５からの天板付き家具２の出没に伴って棚装置３に対し相対的に移動するガイド部１３，１４の移動方向および移動範囲を規制する規制手段として機能する。具体的には、ガイドレール３６，３７は、この天板付き家具２の出没に伴うガイド部１３，１４の移動方向を、この天板付き家具２の出没方向に規制する。また、ガイドレール３６，３７は、この天板付き家具２の出没に伴うガイド部１３，１４の移動範囲を、天板付き家具２が棚装置３から脱離しない（抜け出ない）範囲に規制する。これにより、ガイドレール３６，３７は、天板付き家具２の出没時の棚装置３に対する相対的な移動範囲を、図３，４に示すように天板付き家具２の落下防止壁１２が棚装置３における収容空間３５から出ない範囲に規制する。
【００３３】
物品収容部３８ａおよび開放型物品収容部３８ｂ，３８ｃは、物品を出し入れ可能に収容する収容棚として機能するものであり、棚装置３の棚板３０上に形成される。具体的には、図２，６に示すように、物品収容部３８ａは、遮蔽部材４０によって開閉可能に遮蔽される開閉型の収容棚である。物品収容部３８ａは、遮蔽部材４０による遮蔽が解除された場合、棚装置３の奥行き方向Ｆ１の手前側および起立方向Ｆ３の上側を開放した開状態となって、物品を出し入れ可能になる。一方、物品収容部３８ａは、遮蔽部材４０によって遮蔽された場合、棚装置３の奥行き方向Ｆ１の手前側および起立方向Ｆ３の上方側を覆われた閉状態となって、物品を遮蔽空間内に収容可能になる。
【００３４】
開放型物品収容部３８ｂ，３８ｃは、図２，６に示すように、通常、棚装置３の奥行き方向Ｆ１の手前側および上方側（起立方向Ｆ３の上側）を開放した状態の収容棚である。開放型物品収容部３８ｂ，３８ｃは、上述した物品収容部３８ａの遮蔽の解除に伴い遮蔽部材４０によって遮蔽されない限り、この開放状態を維持して、物品を出し入れ可能に収容する。この際、開放型物品収容部３８ｂ，３８ｃは、遮蔽部材４０よりも高さが低い物品は勿論、遮蔽部材４０よりも高い背高な物品（例えば辞典に例示される大型な書籍等）を収容可能である。
【００３５】
上述した物品収容部３８ａおよび開放型物品収容部３８ｂ，３８ｃは、図２，６に示すように、棚板３０を底面とし且つ後面板３２を後面として、棚装置３の幅方向Ｆ２に並ぶように形成される。これらの物品収容部３８ａおよび開放型物品収容部３８ｂ，３８ｃは、複数の仕切部材３９ａ，３９ｂによって仕切られる。
【００３６】
仕切部材３９ａ，３９ｂは、図２に示すように、棚装置３の幅方向Ｆ２に所定の間隔をあけて棚板３０上に配置される。仕切部材３９ａ，３９ｂは、上述した開閉型の物品収容部３８ａの幅方向Ｆ２の右側面および左側面を各々形成する。また、仕切部材３９ａ，３９ｂは、物品収容部３８ａを挟んで棚装置３の幅方向Ｆ２に開放型の物品収容部を複数並ぶように形成する。本実施の形態においては、図２に示すように、仕切部材３９ａ，３９ｂは、物品収容部３８ａを挟んで、棚装置３の幅方向Ｆ２の右側端に開放型物品収容部３８ｂを形成し、棚装置３の幅方向Ｆ２の左側端に開放型物品収容部３８ｃを形成する。この際、仕切部材３９ａは、右側端の開放型物品収容部３８ｂの左側面を形成する。仕切部材３９ｂは、左側端の開放型物品収容部３８ｃの右側面を形成する。また、右側端の開放型物品収容部３８ｂの右側面は側板３１ａによって形成され、左側端の開放型物品収容部３８ｃの左側面は側板３１ｂによって形成される。
【００３７】
一方、仕切部材３９ｃ，３９ｄは、上述した開放型物品収容部３８ｂ，３８ｃの各収容空間を更に仕切るものである。具体的には、図２，６に示すように、仕切部材３９ｃは、棚板３０における側板３１ａと仕切部材３９ａとの間の部分に配置される。仕切部材３９ｃは、右側端の開放型物品収容部３８ｂを、更に仕切って複数（本実施の形態では２つ）の物品収容部に細分化する。一方、仕切部材３９ｄは、棚板３０における側板３１ｂと仕切部材３９ｂとの間の部分に配置される。仕切部材３９ｄは、左側端の開放型物品収容部３８ｃを、更に仕切って複数（本実施の形態では２つ）の物品収容部に細分化する。
【００３８】
遮蔽部材４０は、上述した棚板３０上の物品収容部３８ａを開閉可能に遮蔽するものである。具体的には、図２，３，６に示すように、遮蔽部材４０は、棚装置３の奥行き方向Ｆ１の手前側から物品収容部３８ａを遮蔽する遮蔽板、および、棚装置３の起立方向Ｆ３の上側から物品収容部３８ａを遮蔽する遮蔽板等を用いて構成される。遮蔽部材４０は、物品収容部３８ａおよび開放型物品収容部３８ｂ，３８ｃに亘って棚装置３の幅方向Ｆ２に移動（例えば摺動）するように、棚装置３に支持される。詳細には、図３に示すように、遮蔽部材４０の奥行き方向手前側の部分が棚板３０上の前側スライドガイド部４７によって支持され、遮蔽部材４０の奥行き方向奥側の部分が後面板３２の背面の後側スライドガイド部４８によって支持される。遮蔽部材４０は、このように棚装置３によって奥行き方向Ｆ１の手前側および奥側の双方から支持されるとともに、前側スライドガイド部４７および後側スライドガイド部４８によって移動方向および移動範囲を規制される。
【００３９】
ここで、上述した物品収容部３８ａおよび開放型物品収容部３８ｂ，３８ｃは、棚板３０を底面とし且つ後面板３２を後面として、棚装置３の奥行き方向Ｆ１の手前側および起立方向Ｆ３の上側（上方側）が開放された状態に形成される。遮蔽部材４０は、前側スライドガイド部４７および後側スライドガイド部４８に沿って、物品収容部３８ａおよび開放型物品収容部３８ｂ，３８ｃに亘り棚装置３の幅方向Ｆ２に移動する。これにより、遮蔽部材４０は、物品収容部３８ａを開閉可能に遮蔽するとともに、開放型物品収容部３８ｂ，３８ｃの奥行き方向手前側および上方側を開放する。また、遮蔽部材４０は、上述したように前側スライドガイド部４７および後側スライドガイド部４８に沿って移動して、この物品収容部３８ａの遮蔽を解除するとともに、開放型物品収容部３８ｂ，３８ｃのうちのいずれか一方の開閉型収容部の少なくとも一部分を遮蔽する。
【００４０】
一方、遮蔽部材４０には、物品を支持する物品支持部４２が設けられる。具体的には、図６等に示すように、物品支持部４２は、遮蔽部材４０の外壁面のうち、棚装置３の奥行き方向Ｆ１の手前側を向く前側の外壁面の下部に設けられる。物品支持部４２は、この前側の外壁面に載置される物品を支持する。この物品支持部４２を備えた遮蔽部材４０の前側外壁面の部分は、遮蔽板としての機能と、書籍等の物品を受け支える書見台４６としての機能とを兼ね備える。このような書見台４６は、上述した遮蔽部材４０と同様に、前側スライドガイド部４７および後側スライドガイド部４８に沿って棚装置３の幅方向Ｆ２に移動可能である。
【００４１】
前側スライドガイド部４７は、遮蔽部材４０の幅方向の移動（スライド）を案内するスライドガイド部の一つである。具体的には、図６に示すように、前側スライドガイド部４７は、棚装置３の外側から視認できるように、棚板３０の上面に設けられる。前側スライドガイド部４７は、図３に示すように、遮蔽部材４０の奥行き方向手前側の部分（後述する前側スライド部）を移動可能に支持するとともに、棚装置３の幅方向Ｆ２における遮蔽部材４０の移動を案内する。
【００４２】
後側スライドガイド部４８は、遮蔽部材４０の幅方向の移動（スライド）を案内するスライドガイド部の一つである。具体的には、図３に示すように、後側スライドガイド部４８は、棚装置３の背面側から視認できるように、後面板３２の後面（背面）に設けられる。なお、後面板３２の後面は、棚装置３の奥行き方向Ｆ１の奥側を向く後面板の壁面である。後側スライドガイド部４８は、図３に示すように、遮蔽部材４０の奥行き方向奥側の部分（後述する後側スライド部）を移動可能に支持するとともに、棚装置３の幅方向Ｆ２における遮蔽部材４０の移動を案内する。
【００４３】
照明装置５０は、所定の機能を有する機能装置の一例である。照明装置５０は、上述した開放型物品収容部３８ｂ，３８ｃのうちの一方、例えば図２，６等に示すように、左端側の開放型物品収容部３８ｃに着脱可能に固定配置される。この際、照明装置５０は、上述した遮蔽部材４０の移動を阻害しないように、棚装置３の幅方向Ｆ２の端部、例えば側板３１ｂの近傍に取り付けられる。照明装置５０は、そのアーム等を操作することにより、照明光源の位置および方向を容易に調整可能である。このような照明装置５０は、棚装置３の部分（棚板３０の上面等）や天板付き家具２の部分（天板１０および引き出し１６内等）、図１，４等に示す組み合わせ家具１の所望の部分を照明することができる。
【００４４】
なお、本実施の形態において、天板付き家具２の奥行き方向Ｆ１１、幅方向Ｆ１２、および起立方向Ｆ１３は、図５に示すように定義される。すなわち、天板付き家具２の奥行き方向Ｆ１１は、机等として天板付き家具２を使用する使用者（図示せず）が椅子に座る等して天板付き家具２に向かう方向である。この奥行き方向Ｆ１１は、天板脚部１１をなす脚板１１ａ，１１ｂ同士の対向方向と、天板１０に直交する方向（天板上面１０ａの法線方向）との双方に対して垂直である。天板付き家具２の幅方向Ｆ１２は、脚板１１ａ，１１ｂ同士の対向方向に対して平行な方向であり、且つ、天板１０に直交する方向に対して垂直な方向である。天板付き家具２の起立方向Ｆ１３は、床面に起立した状態の天板付き家具２の上下方向であり、上述した奥行き方向Ｆ１１および幅方向Ｆ１２に対して垂直である。これらの奥行き方向Ｆ１１、幅方向Ｆ１２、および起立方向Ｆ１３は、天板付き家具２を構成する天板１０等の各構成部についても同様である。
【００４５】
一方、本実施の形態において、棚装置３の奥行き方向Ｆ１、幅方向Ｆ２、および起立方向Ｆ３は、図６に示すように定義される。すなわち、棚装置３の奥行き方向Ｆ１は、収容棚等として棚装置３を使用する使用者（図示せず）が棚装置３に向かう方向である。この奥行き方向Ｆ１は、棚脚部３１をなす側板３１ａ，３１ｂ同士の対向方向と、棚板３０に直交する方向との双方に対して垂直である。棚装置３の幅方向Ｆ２は、側板３１ａ，３１ｂ同士の対向方向に対して平行な方向であり、且つ、棚板３０に直交する方向に対して垂直な方向である。棚装置３の起立方向Ｆ３は、床面に起立した状態の棚装置３の上下方向であり、上述した奥行き方向Ｆ１および幅方向Ｆ２に対して垂直である。これらの奥行き方向Ｆ１、幅方向Ｆ２、および起立方向Ｆ３は、棚装置３を構成する棚板３０等の各構成部についても同様である。
【００４６】
上述した天板付き家具２および棚装置３を組み合わせて構成される組み合わせ家具１の奥行き方向、幅方向、および起立方向は、図１〜４に示すように、棚装置３の奥行き方向Ｆ１、幅方向Ｆ２、および起立方向Ｆ３と各々同じである。また、図１〜４に示すように天板付き家具２が棚装置３に対して出没可能に取り付けられた状態において、天板付き家具２の奥行き方向Ｆ１１、幅方向Ｆ１２、および起立方向Ｆ１３は、棚装置３の奥行き方向Ｆ１、幅方向Ｆ２、および起立方向Ｆ３と各々同じである。例えば、図４に示す棚装置３内からの天板付き家具２の出没方向は、棚装置３の奥行き方向Ｆ１と同じである。すなわち、この天板付き家具２の出没方向は、組み合わせ家具１の奥行き方向と同じであり、棚装置３に対して出没可能に取り付けられた天板付き家具２の奥行き方向Ｆ１１と同じである。
【００４７】
（遮蔽部材）
つぎに、図２等に示した棚装置３の遮蔽部材４０について詳細に説明する。図７は、棚装置に設けられる遮蔽部材の一構成例を示す斜視図である。図８は、図７に示す遮蔽部材を側方から見た図である。図９は、図７に示す遮蔽部材を後方から見た図である。図１０は、遮蔽部材を備えた棚装置を上方から見た図である。図１１は、図１０に示す棚装置のＡ−Ａ線断面構造を示す断面図である。図１２は、遮蔽部材を備えた棚装置を後方から見た図である。なお、図１０〜１２では、遮蔽部材４０等の説明をし易くするために、上述した照明装置５０の図示を省略している。
【００４８】
遮蔽部材４０は、図１０に示すように棚装置３の棚板３０上の物品収容部３８ａを開閉可能に遮蔽する部材であり、図７〜９に示すように、前側遮蔽板４１と、前側スライド部４１ａと、物品支持部４２と、上側遮蔽板４４と、後側スライド部４５ａ，４５ｂとを備える。また、遮蔽部材４０は、図１０〜１２に示すように、棚板３０上の前側スライドガイド部４７と後面板３２の背面上の後側スライドガイド部４８とによって棚装置３の幅方向Ｆ２にスライド可能に支持される状態にして、棚装置３に設けられる。
【００４９】
前側遮蔽板４１は、棚装置３の奥行き方向Ｆ１の手前側から、棚装置３の棚板３０上の物品収容部３８ａを開閉可能に遮蔽する板部材である。前側遮蔽板４１は、図１０，１１に示すように、上述した天板付き家具２の天板１０と交差する方向に延在するように、棚板３０における奥行き方向Ｆ１の手前側に配置される。この配置において、前側遮蔽板４１の前面は、棚装置３の奥行き方向Ｆ１の手前側を向いている。このような前側遮蔽板４１の前面は、遮蔽部材４０の外壁面のうちの棚装置３の奥行き方向Ｆ１の手前側を向く壁面（以下、前側の外壁面と適宜いう）になる。この前側遮蔽板４１の前面である前側の外壁面は、図１１に示すように、天板１０の上面（天板上面１０ａ）に対して所定の角度θをなす。本実施の形態において、この角度θは、９０度程度であることが望ましいが、さらには、鈍角であることが望ましい。すなわち、この前側の外壁面は、天板上面１０ａに対して鈍角をなすように傾斜する傾斜面であることが望ましい。
【００５０】
上述したような構成を有する前側遮蔽板４１には、図７〜９に示すように、前側の外壁面と反対側の壁面（以下、前側遮蔽板４１の裏面と適宜いう）の下側部分に前側スライド部４１ａが設けられ、前側の外壁面の下側部分に物品支持部４２が設けられる。また、前側遮蔽板４１には、図７に示すように、遮蔽部材４０の幅方向両側の各端部に凹部４３ａ，４３ｂが形成される。
【００５１】
前側スライド部４１ａは、上述した前側スライドガイド部４７に沿って遮蔽部材４０をスライド可能にするものである。具体的には、図８，９に示すように、前側スライド部４１ａは、前側遮蔽板４１の幅方向に長手となる突起状部材であり、前側遮蔽板４１の下端すなわち遮蔽部材４０の下端よりも下方に突出するように、前側遮蔽板４１の裏面の下側部分に設けられる。前側スライド部４１ａは、図１１に示すように、棚装置３の棚板３０上の前側スライドガイド部４７に摺動可能に支持される。ここで、前側スライドガイド部４７は、棚装置３の外側（例えば棚装置３の奥行き方向Ｆ１の手前側の外部）から視認できるように、棚板３０の上面に凹状に形成されている。前側スライド部４１ａは、この前側スライドガイド部４７によって棚装置３の幅方向Ｆ２にスライド可能に支持される遮蔽部材４０の奥行き方向手前側の部分である。すなわち、前側スライド部４１ａは、前側スライドガイド部４７に嵌合して支持されるとともに、この前側スライドガイド部４７に沿って棚装置３の幅方向Ｆ２に摺動可能である。
【００５２】
物品支持部４２は、前側遮蔽板４１の外壁面のうちの前側の外壁面に載置される物品を支持するものである。具体的には、図７，８に示すように、物品支持部４２は、前側遮蔽板４１の幅方向に長手となる鉤状部材であり、前側遮蔽板４１から棚板３０の奥行き方向Ｆ１の手前側に突出するように、遮蔽部材４０における前側の外壁面（前側遮蔽板４１の前面）の下側部分に設けられる。物品支持部４２は、遮蔽部材４０における前側の外壁面に載置されて前側遮蔽板４１が受ける物品を支持する。なお、このような物品支持部４２が支持する物品として、例えば、書籍、書面、電子計算機等の情報機器、タブレット端末等の情報端末等が挙げられる。
【００５３】
上側遮蔽板４４は、棚装置３の上方側（図１１に示す起立方向Ｆ３の上側）から、棚装置３の棚板３０上の物品収容部３８ａを開閉可能に遮蔽する板部材である。上側遮蔽板４４は、図７，８，１０，１１に示すように、上述した前側遮蔽板４１の裏面の上端部から棚装置３の奥行き方向Ｆ１の奥側へ延在するように、前側遮蔽板４１に固定される。上側遮蔽板４４は、図１０，１１に示すように、前側遮蔽板４１の裏面の上端部から棚装置３の後面板３２の上端面までに亘って架かるように、棚板３０上の仕切部材３９ａ〜３９ｄよりも高い位置に設けられる。このような上側遮蔽板４４には、図７〜９に示すように、前側遮蔽板４１との接続端と反対側の端部（以下、上側遮蔽板４４の後端部と適宜いう）に一対の後側スライド部４５ａ，４５ｂが設けられる。
【００５４】
後側スライド部４５ａ，４５ｂは、上述した後側スライドガイド部４８に沿って遮蔽部材４０をスライド可能にするものである。具体的には、図８，９に示すように、後側スライド部４５ａ，４５ｂは、各々、上側遮蔽板４４の後端部から下方に延在する支持部と、この支持部によって回転自在に軸支される車輪とを用いて構成される。後側スライド部４５ａ，４５ｂは、遮蔽部材４０の幅方向に所定の間隔をあけて、上側遮蔽板４４の後端部における幅方向両側の各端部の近傍に設けられる。後側スライド部４５ａ，４５ｂは、図１１，１２に示すように、棚装置３の後面板３２に設けられた後側スライドガイド部４８にスライド可能に支持される。
【００５５】
ここで、後面板３２の背面には、図１２に示すように、後面板３２における棚装置３の幅方向Ｆ２の全域に亘って、後側スライド部４５ａ，４５ｂの各車輪部を受け入れ可能な溝部３２ａが形成されている。後側スライドガイド部４８は、棚装置３の幅方向Ｆ２に長手であり、溝部３２ａに沿って後面板３２の背面に固定される。後側スライド部４５ａ，４５ｂは、棚装置３の側板３１ａ，３１ｂの少なくとも一方が取り付けられていない状態において、溝部３２ａ内に各車輪部を入れて後側スライドガイド部４８の位置までスライドする。その後、後面板３２は、側板３１ａ，３１ｂの双方に固定された状態にする。この結果、後側スライド部４５ａ，４５ｂは、後側スライドガイド部４８によって支持されるとともに、後側スライドガイド部４８から脱離することなく、後側スライドガイド部４８に沿って棚装置３の幅方向Ｆ２にスライド可能になる。このような後側スライド部４５ａ，４５ｂは、後側スライドガイド部４８によって棚装置３の幅方向Ｆ２にスライド可能に支持される遮蔽部材４０の奥行き方向奥側の部分である。
【００５６】
上述したように前側遮蔽板４１および物品支持部４２等を備える遮蔽部材４０は、天板１０と交差する方向に延在して書籍等の物品を受け支える書見台４６としての機能を有する。すなわち、書見台４６は、物品収容部３８ａを開閉可能に遮蔽する遮蔽部材４０としての機能を有し、図７〜９に示すように、前側遮蔽板４１、前側スライド部４１ａ、物品支持部４２、凹部４３ａ，４３ｂ、上側遮蔽板４４、および後側スライド部４５ａ，４５ｂを備える。このような書見台４６において、前側遮蔽板４１は、天板１０と交差する方向に延在するように配置されて物品を受ける物品受け部となる。上側遮蔽板４４は、この物品受け部から棚装置３の奥行き方向Ｆ１の奥側へ延在する延在部となる。
【００５７】
なお、書見台４６は、少なくとも書籍や書面等の物品を受け支えることが可能なものであり、用途に応じて、電子計算機やタブレット端末等の書籍以外の物品を受け支えることも可能である。このような書見台４６が受け支える物品は、上述した物品支持部４２が支持する物品と同じである。一方、書見台４６の物品受け部および延在部を支持する複数のスライドガイド部は、上述した前側スライドガイド部４７および後側スライドガイド部４８である。
【００５８】
（遮蔽部材の開閉動作）
つぎに、上述した棚装置３の物品収容部３８ａを開閉可能に遮蔽する遮蔽部材４０の開閉動作について詳細に説明する。図１３は、棚装置の物品収容部を開閉可能に遮蔽する遮蔽部材の開閉動作を説明する図である。なお、図１３では、遮蔽部材４０の開閉動作を説明し易くするために、上述した照明装置５０の図示を省略している。
【００５９】
棚装置３は、図１３に示すように、遮蔽部材４０による開閉型の物品収容部３８ａと、開放型物品収容部３８ｂ，３８ｃとを棚板３０上に備えている。物品収容部３８ａおよび開放型物品収容部３８ｂ，３８ｃは、上述したように、棚板３０を底面とし且つ後面板３２を後面として、棚装置３の幅方向Ｆ２に並ぶように形成される。遮蔽部材４０は、この棚板３０よりも小さい幅を有する。具体的には、図１３に示すように、遮蔽部材４０の幅は、物品収容部３８ａの幅、すなわち、棚板３０上の物品収容部３８ａおよび開放型物品収容部３８ｂ，３８ｃを各々仕切る仕切部材３９ａ，３９ｂ（図２等参照）同士の間隔（例えば離間距離）に等しい。また、本実施の形態において、開放型物品収容部３８ｂ，３８ｃの各幅は、物品収容部３８ａの幅以上に設定されることが望ましく、さらには、物品収容部３８ａと同じ幅に設定されることが望ましい。
【００６０】
このような遮蔽部材４０は、上述した前側スライドガイド部４７および後側スライドガイド部４８（図１０等参照）に沿って棚装置３の幅方向Ｆ２にスライド可能である。遮蔽部材４０は、図１３に示すように、物品収容部３８ａに面して位置することにより、物品収容部３８ａを開閉可能に遮蔽する（状態Ｓ１１）。
【００６１】
上述した状態Ｓ１１において、遮蔽部材４０は、図１３に示すように、棚装置３の幅方向Ｆ２の左右両側のいずれにもスライド可能である。この状態Ｓ１１の遮蔽部材４０は、棚装置３の幅方向Ｆ２の右側に向かってスライドすることにより、物品収容部３８ａの遮蔽を解除するとともに、右側端の開放型物品収容部３８ｂの一部分を左側から徐々に遮蔽する。その後、遮蔽部材４０は、この幅方向Ｆ２の右側へのスライドを続行し、ついには、図１３に示すように、開放型物品収容部３８ｂに面して位置する。この際、遮蔽部材４０は、物品収容部３８ａの奥行き方向手前側および上方側を開放し終えるとともに、開放型物品収容部３８ｂを遮蔽する（状態Ｓ１２）。
【００６２】
上述した状態Ｓ１２において、遮蔽部材４０は、図１３に示すように、棚装置３の幅方向Ｆ２の左側にスライド可能である。この状態Ｓ１２の遮蔽部材４０は、棚装置３の幅方向Ｆ２の左側に向かってスライドすることにより、開放型物品収容部３８ｂの遮蔽を解除するとともに、物品収容部３８ａの一部分を右側から徐々に遮蔽する。その後、遮蔽部材４０は、この幅方向Ｆ２の左側へのスライドを続行し、ついには、図１３の状態Ｓ１１に示すように、物品収容部３８ａに面して位置する。この際、遮蔽部材４０は、物品収容部３８ａを遮蔽し終えるとともに、開放型物品収容部３８ｂの奥行き方向手前側および上方側を開放する。
【００６３】
一方、上述した状態Ｓ１１において、遮蔽部材４０は、図１３に示すように、棚装置３の幅方向Ｆ２の左側に向かってスライドすることにより、物品収容部３８ａの遮蔽を解除するとともに、左側端の開放型物品収容部３８ｃの一部分を右側から徐々に遮蔽する。その後、遮蔽部材４０は、この幅方向Ｆ２の左側へのスライドを続行し、ついには、図１３に示すように、開放型物品収容部３８ｃに面して位置する。この際、遮蔽部材４０は、物品収容部３８ａの奥行き方向手前側および上方側を開放し終えるとともに、開放型物品収容部３８ｃを遮蔽する（状態Ｓ１３）。
【００６４】
上述した状態Ｓ１３において、遮蔽部材４０は、図１３に示すように、棚装置３の幅方向Ｆ２の右側にスライド可能である。この状態Ｓ１３の遮蔽部材４０は、棚装置３の幅方向Ｆ２の右側に向かってスライドすることにより、開放型物品収容部３８ｃの遮蔽を解除するとともに、物品収容部３８ａの一部分を左側から徐々に遮蔽する。その後、遮蔽部材４０は、この幅方向Ｆ２の右側へのスライドを続行し、ついには、図１３の状態Ｓ１１に示すように、物品収容部３８ａに面して位置する。この際、遮蔽部材４０は、物品収容部３８ａを遮蔽し終えるとともに、開放型物品収容部３８ｃの奥行き方向手前側および上方側を開放する。
【００６５】
ここで、上述した状態Ｓ１１，Ｓ１２，Ｓ１３のいずれの場合であっても、前側スライドガイド部４７は、棚装置３の外側（すなわち組み合わせ家具１の外側）から視認可能である。使用者は、棚装置３の奥行き方向Ｆ１の手前側から棚板３０の上面を見ることにより、容易に前側スライドガイド部４７の存在に気が付く。これにより、使用者は、遮蔽部材４０が前側スライドガイド部４７に沿ってスライドするものであることを理解し、この結果、遮蔽部材４０の上面に物品を置かないようになる。
【００６６】
また、遮蔽部材４０の前側の外壁面に設けられた物品支持部４２（図７等参照）は、上述したように、棚板３０の奥行き方向Ｆ１の手前側に突出している。このような物品支持部４２は、図１３に示したように遮蔽部材４０をスライドさせる際の把持部としての機能を有する。すなわち、使用者は、物品支持部４２を把持することにより、棚装置３の幅方向Ｆ２に遮蔽部材４０を容易にスライドさせることができる。
【００６７】
一方、図１３に示したように物品収容部３８ａを開閉可能に遮蔽する遮蔽部材４０は、上述したように物品支持部４２等を備えることにより、書見台４６としても機能する。図１４は、棚装置の物品収容部を開閉可能に遮蔽する遮蔽部材を書見台として用いる状態を示す図である。図１４に示すように、書見台４６は、遮蔽部材４０として物品収容部３８ａ（図１３等参照）を開閉可能に遮蔽するとともに開放型物品収容部３８ｂ，３８ｃを開放する。また、書見台４６は、前側遮蔽板４１を物品受け部として物品１００を受け、この物品１００を物品支持部４２によって支持する。
【００６８】
このような書見台４６は、例えば図１４に示すように、棚装置３内から引き出された天板付き家具２の天板１０と分担して、各種物品を受け支えることができる。すなわち、使用者は、この天板付き家具２を机等として使用する際、書籍またはタブレット端末等の物品１００を書見台４６に載置し、文房具等の別途必要な物品を天板上面１０ａに載置する。この結果、使用者は、天板上面１０ａの物品載置数を必要最小限に減らして、天板１０を効率よく使用することができる。また、使用者は、物品支持部４２等を用い、書見台４６を、前側スライドガイド部４７および後側スライドガイド部４８（図１０等参照）に沿って所望の位置にスライドさせることができる。一方、使用者は、図１４に示す照明装置５０を用いることにより、天板付き家具２の天板１０上の物品、書見台４６上の物品１００、および棚板３０の上面（開放型物品収容部３８ｃ等）を適宜照明することができる。
【００６９】
以上、説明したように、本発明の実施の形態では、棚板を支持して床面に起立するとともに、天板付き家具を出没可能に収容する収容空間を棚板下方に形成する棚脚部を有する棚装置が、この棚板の奥行き方向手前側の端部近傍に、この天板付き家具の天板と交差する方向に延在して物品を受け支える書見台を備えている。
【００７０】
このため、棚装置内から引き出した天板付き家具の天板の使用部分（棚装置における収容空間の外側に露出した天板上面部分）と棚装置の棚板との境界近傍に、この天板付き家具側に物品載置面を向ける態様の書見台を配置することができる。これにより、天板付き家具の用途に応じて必要な物品（例えば書籍、書面、文房具、情報機器等）を、天板付き家具の天板と、この天板の使用部分の奥行き方向奥側に位置する書見台とに適宜分けて載置し、使用することができる。この結果、天板付き家具の天板上面の面積を増大せずとも、天板付き家具の天板を用途に合わせて効率よく使用可能となることから、天板付き家具の奥行き方向の寸法を増大させることなく、天板付き家具の天板上面に、必要な物品を使用可能な状態にして極力多く載置することができる。本発明にかかる組み合わせ家具を用いることにより、天板付き家具の使い勝手の制限を可能な限り緩和することができ、この結果、天板付き家具の使い勝手を向上することができる。
【００７１】
また、本発明の実施の形態では、上述した書見台を棚装置の幅方向に移動可能に設けている。このため、椅子に座る等して天板付き家具につく使用者の利き手や体勢等の要素に合わせて、書見台を所望の位置に移動させることができる。これにより、書見台の使い勝手が向上するとともに、書見台という小さなスペースを一層有効に活用することができる。この結果、書見台に載置した書籍や情報機器等の必要な物品を使い勝手よく利用することができる。
【００７２】
さらに、本発明の実施の形態では、棚装置の幅方向における書見台の移動を案内するスライドガイド部によって、書見台をスライド可能に支持している。このため、スライドガイド部に沿って棚装置の幅方向に書見台を容易にスライドさせることができる。これにより、書見台に載置の物品を使用し易い位置に書見台を円滑に移動させることができ、この結果、書見台の使い勝手が一層向上するとともに、書見台に載置の物品を一層使い勝手よく利用することができる。
【００７３】
また、本発明の実施の形態では、天板と交差する方向に延在する物品受け部と、この物品受け部が受ける物品を支持する物品支持部と、この物品受け部から棚装置の奥行き方向奥側へ延在する延在部とを用いて、上述した書見台を構成し、この書見台の物品受け部および延在部を、複数のスライドガイド部によってスライド可能に支持している。このため、棚装置の奥行き方向の手前側および奥側の双方から書見台をスライド可能に支持することができる。これにより、棚装置に対する書見台の支持状態を一層強固に維持できるとともに、棚装置の幅方向に書見台を安定的且つ容易にスライドすることができる。この結果、書見台の使い勝手の向上を促進するとともに、書見台に載置の物品をより一層使い勝手よく利用することができる。
【００７４】
さらに、本発明の実施の形態では、棚装置の棚板上に形成される物品収容部を開閉可能に遮蔽する遮蔽機能を、上述した書見台にもたせている。これにより、物品収容部を開閉する作業と、この物品収容部内から取り出した物品を書見台に載置する作業とを、一連の作業として円滑に行うことができる。例えば、書見台をスライドすることにより、物品収容部を開放して同物品収容部内から書籍等の物品を取り出し、その後、書見台を元の位置にスライドすることによって物品収容部を閉塞（遮蔽）し、同物品収容部を遮蔽した状態の書見台に、この取り出した物品を載置して使用することができる。この結果、書見台を多様且つ容易に使用できるとともに、棚装置における小さなスペースを有効に活用して書見台に載置の物品を利用することができる。
【００７５】
なお、上述した実施の形態では、棚装置３の棚板３０上に、単一の物品収容部３８ａと、２つの開放型物品収容部３８ｂ，３８ｃとを形成していたが、本発明は、これに限定されるものではない。棚板３０上には、遮蔽部材４０によって開閉可能に遮蔽される開閉型の物品収容部と、通常時に開放されている開放型物品収容部とが、各々１つずつ（合計２つ）形成されていてもよいし、各々複数ずつ（合計４つ以上）形成されていてもよい。あるいは、棚板３０上に、開閉型の物品収容部が１つ形成され、開放型物品収容部が複数形成され、この結果、開閉型の物品収容部および開放型物品収容部が、合計３つ以上形成されてもよい。
【００７６】
また、上述した実施の形態では、棚装置３の棚板３０上に、開閉型の物品収容部３８ａおよび開放型物品収容部３８ｂ，３８ｃの２種類の収容棚が形成していたが、本発明は、これに限定されるものではない。棚板３０上には、開閉型の物品収容部または開放型物品収容部のいずれか１種類のみが、１つまたは複数、形成されてもよい。
【００７７】
さらに、上述した実施の形態では、棚板３０上の中央部分に開閉型の物品収容部３８ａが形成され、この物品収容部３８ａを挟んで棚装置３の幅方向Ｆ２の両側に開放型物品収容部３８ｂ，３８ｃが形成されていたが、本発明は、これに限定されるものではない。物品収容部３８ａは、棚板３０上の中央よりも幅方向右側（例えば右側端）に形成されてもよいし、棚板３０上の中央よりも幅方向左側（例えば左側端）に形成されてもよい。この場合、開放型物品収容部３８ｂ，３８ｃは、物品収容部３８ａを幅方向に挟むように形成されていなくてもよく、例えば、物品収容部３８ａよりも幅方向の右側または左側に並ぶように形成されてもよい。
【００７８】
また、上述した実施の形態では、棚装置３の幅方向Ｆ２にスライドする遮蔽部材４０によって物品収容部３８ａを開閉可能に遮蔽していたが、本発明は、これに限定されるものではない。本発明における遮蔽部材は、ヒンジ等を用いて上下または左右等の所定の方向に回動するように構成され、回動することによって物品収容部３８ａを開閉可能に遮蔽するものであってもよい。この場合、棚装置３の上端には、棚板３０の上方を覆って棚装置３の天井をなす板状部材が設けられてもよい。
【００７９】
さらに、上述した実施の形態では、左側端の開放型物品収容部３８ｃに照明装置５０を設けていたが、これに限定されず、右側端の開放型物品収容部３８ｂに照明装置５０を設けてもよい。あるいは、開放型物品収容部３８ｂ，３８ｃのいずれか一方または双方に、時計や送風機等、照明装置５０以外の機能装置を設けてもよい。すなわち、本発明において、棚装置３の棚板３０上等に設けられる機能装置は、特に照明装置５０に限定されず、所定の機能（例えば組み合わせ家具１を使用する使用者の用途に有用な機能）を有するものであればよい。また、棚装置３の棚板３０上等に設けられる機能装置の数は、１つであってもよいし、複数であってもよい。
【００８０】
また、上述した実施の形態では、棚装置３の開放型物品収容部３８ｃに、機能装置の一例として照明装置５０が設けられていたが、これに限定されず、棚装置３の開放型物品収容部３８ｂ，３８ｃには、照明装置５０等の機能装置を設けなくてもよい。この場合、開放型物品収容部３８ｂ，３８ｃは、これらの各全域を物品の収容棚として使用されてもよい。
【００８１】
さらに、上述した実施の形態では、棚装置３内からの天板付き家具２の出没の移動方向および移動範囲を規制するガイド部１３，１４およびガイドレール３６，３７のうち、ガイド部１３，１４は天板付き家具２の天板脚部１１に着脱可能に設け、ガイドレール３６，３７は棚装置３の棚脚部３１に設けていたが、本発明は、これに限定されるものではない。本発明において、ガイド部１３，１４は、棚装置３の棚脚部３１をなす側板３１ａ，３１ｂに各々着脱可能に設け、ガイドレール３６，３７は、天板付き家具２の天板脚部１１をなす脚板１１ａ，１１ｂに各々設けてもよい。
【００８２】
また、上述した実施の形態では、ガイドレール３６，３７を、凹状に形成された溝としていたが、本発明は、これに限定されるものではない。本発明において、ガイドレール３６，３７は、横断面がコの字状であり、長手方向の両端部に抜け止め面を有する細長のレール部材を用いて構成されてもよい。
【００８３】
さらに、上述した実施の形態では、ガイドレール３６，３７に摺動可能に係合するガイド突起を有するようにガイド部１３，１４を構成していたが、本発明は、これに限定されるものではない。本発明において、ガイド部１３，１４は、回転自在に車輪を軸支する突起部を有し、ガイドレール３６，３７内に突起部の車輪を入れ、ガイドレール３６，３７に沿って天板付き家具２の出没方向に移動（スライド）するものであってもよい。
【００８４】
一方、上述した実施の形態では、棚装置３の物品収容部３８ａを開閉可能に遮蔽する遮蔽部材４０に書見台４６としての機能をもたせていたが、これに限定されず、本発明における書見台４６は、上述した遮蔽部材４０と別体であってもよい。すなわち、本発明において、棚装置３は、棚板３０上に、互いに別体に構成される遮蔽部材４０と書見台４６とを備えてもよい。この場合、物品支持部４２は、遮蔽部材４０に設けず、別体である書見台４６の物品受け部の下側部分に設けられてもよい。また、書見台４６は、遮蔽部材４０と同様に前側スライドガイド部４７によって棚装置３の幅方向Ｆ２にスライド可能に支持されてもよい。あるいは、前側スライドガイド部４７と同様の構成を有するスライドガイド部を棚板３０における奥行き方向Ｆ１の手前側の部分に別に設け、書見台４６は、この別のスライドガイド部によって、棚装置３の幅方向Ｆ２にスライド可能に支持されてもよい。
【００８５】
また、書見台４６は、遮蔽部材４０と別体である場合、棚装置３の棚板３０に対して着脱可能に取り付けできるように構成され、棚板３０の上面における奥行き方向手前側部分のうちの所望の位置に移動可能に取り付けられてもよい。あるいは、書見台４６は、ヒンジ等を用いて上下または左右等の所定の方向に回動するように構成され、回動することによって、棚装置３における所定の位置、例えば遮蔽部材４０の上端面に折りたためるように構成されてもよい。
【００８６】
また、上述した実施の形態では、棚装置３の棚板３０の上面に前側スライドガイド部４７を設けていたが、これに限定されず、前側スライドガイド部４７は、棚板３０における奥行き方向Ｆ１の手前側の側端部に設けられてもよいし、棚板３０の下面部に設けられてもよい。この場合、遮蔽部材４０（書見台４６）の前側スライド部４１ａは、棚板３０の側端部または下面部の前側スライドガイド部４７に対して棚装置３の幅方向Ｆ２に移動可能に支持されるように、構成されればよい。
【００８７】
さらに、上述した実施の形態では、棚装置３の後面板３２の後面（背面）に後側スライドガイド部４８を設けていたが、これに限定されず、後側スライドガイド部４８は、後面板３２の前面、すなわち、後面板３２における奥行き方向Ｆ１の手前側の壁面に設けられてもよい。これにより、後側スライドガイド部４８は、棚装置３の奥行き方向Ｆ１の手前側から視認可能なものにしてもよい。この場合、遮蔽部材４０（書見台４６）の後側スライド部４５ａ，４５ｂは、後面板３２の前面に設けられた後側スライドガイド部４８に対して棚装置３の幅方向Ｆ２に移動可能に支持されるように、構成されればよい。
【００８８】
また、上述した実施の形態により本発明が限定されるものではなく、上述した各構成要素を適宜組み合わせて構成したものも本発明に含まれる。例えば、上述した実施の形態にかかる組み合わせ家具１を構成する天板付き家具２および棚装置３は、木製、金属製、または樹脂製のいずれのものであってもよいし、これらの素材を適宜組み合わせたものであってもよい。その他、上述した実施の形態に基づいて当業者等によりなされる他の実施の形態、実施例および運用技術等は全て本発明に含まれる。
【符号の説明】
【００８９】
１  組み合わせ家具
２  天板付き家具
３  棚装置
１０  天板
１０ａ  天板上面
１１  天板脚部
１１ａ，１１ｂ  脚板
１２  落下防止壁
１３，１４  ガイド部
１５ａ，１５ｂ  切欠き部
１６  引き出し
１７  車輪
１８  滑り止め部
３０  棚板
３１  棚脚部
３１ａ，３１ｂ  側板
３２，３３  後面板
３２ａ  溝部
３４  支柱
３５  収容空間
３６，３７  ガイドレール
３８ａ  物品収容部
３８ｂ，３８ｃ  開放型物品収容部
３９ａ〜３９ｄ  仕切部材
４０  遮蔽部材
４１  前側遮蔽板
４１ａ  前側スライド部
４２  物品支持部
４３ａ，４３ｂ  凹部
４４  上側遮蔽板
４５ａ，４５ｂ  後側スライド部
４６  書見台
４７  前側スライドガイド部
４８  後側スライドガイド部
５０  照明装置
１００  物品
Ｆ１，Ｆ１１  奥行き方向
Ｆ２，Ｆ１２  幅方向
Ｆ３，Ｆ１３  起立方向
【図１】
0006508885.tif 000002
【図２】
0006508885.tif 000003
【図３】
0006508885.tif 000004
【図４】
0006508885.tif 000005
【図５】
0006508885.tif 000006
【図６】
0006508885.tif 000007
【図７】
0006508885.tif 000008
【図８】
0006508885.tif 000009
【図９】
0006508885.tif 000010
【図１０】
0006508885.tif 000011
【図１１】
0006508885.tif 000012
【図１２】
0006508885.tif 000013
【図１３】
0006508885.tif 000014
【図１４】
0006508885.tif 000015